(57)【要約】【課題】  ピーコン内部の完全に詰まったコンクリートノロを効率よく早く、押し込む力を加えることなく除去し、腕に掛かる負担及び疲労感を小さくして作業効率を上げてコストダウンを図ること。【解決手段】  筒状ドリル本体の基端側に連結部を設け、該筒状ドリル本体の先端に歯部を形成した筒状ドリルに於いて、該筒状ドリル本体内の所定奥端にピーコン支持ボルト先端の支持ネジ部に対応して螺合するネジ部を設けることとしている。【選択図】        図１
2005280326.tif 000002
【特許請求の範囲】
【請求項１】
筒状ドリル本体の基端側に連結部を設け、該筒状ドリル本体の先端に歯部を形成した筒状ドリルに於いて、該筒状ドリル本体内の所定奥端にピーコン支持ボルト先端の支持ネジ部に対応して螺合するネジ部を設けたことを特徴とするピーコン内コンクリートノロ除去用の筒状ドリル。
【発明の詳細な説明】
【技術分野】
【０００１】  本発明は、コンクリート打設時にピーコン内部に浸入し、完全に詰まって固化したコンクリートノロを切削除去する筒状ドリルに関する。
【背景技術】
【０００２】  従来のコーン着脱用のレンチは、レンチとコンクリート打設時にピーコン（または単にコーン）内部に浸入し固化したコンクリート（ノロ）を切削除去するコンクリートノロ除去用歯部を設け、切削と取り外し用レンチとして使用するものがある（例えば特許文献１参照）。【０００３】  また、本出願人が出願したコーン着脱用レンチの筒状レンチ本体の先端端面に鋸歯状歯部を突出形成したものがある（特許文献２参照）。【０００４】
【特許文献１】  実開平０７−０１５２６８号  公報
【特許文献２】  特開２００１−１８０８６２号  公報
【発明の開示】
【発明が解決しようとする課題】
【０００５】  従来、コンクリート型枠を取外したあと、回転工具（通常、電動のインパクトドライバを使用する）を使用してコーンを取外すが、コンクリート打設時にピーコン内部に浸入し、完全に詰まって固化したコンクリートノロは、非常に硬く該ピーコンを取外す前にそのノロを除去しなければならず、このことはピーコンを再使用するためにコンクリートノロを取り除きコンクリート壁から取り外すもので、この作業はコスト削減の要求からもできる限り、良い状態で取り外す必要があった。【０００６】  そこで上述した、従来の特許文献１及び特許文献２のノロ除去用などの工具が提案使用されているが、ピーコン内部に浸入し、完全に詰まって固化したコンクリートノロは非常に硬く、切削除去するとき、電動のインパクトドライバを力強く押し込まなくてはならず、腕に掛かる負担が大きいことから疲労が激しく、作業性が悪く効率よく作業ができなかった。【０００７】  また、上記コンクリートノロ表面が硬くて切削歯が滑ることが多く、それらにより切削歯の摩耗及び電動のインパクトドライバのバッテリーの消耗が激しく、そして取り外す際の変形などピーコンの不良も発生しており、改善が望まれていた。【０００８】  さらに、作業効率に於いて、通常、型枠の変形を防ぐため、コンクリート壁のピーコンの数が多く取り付けられていることから、そのたくさんの取り外し作業する上で、とにかく素早く取り外すことが望まれていた。【０００９】  また、ピーコン内部にコンクリートノロが浸入したものと、そうでないもの及び比較的簡単に除去できるものと、非常に硬くなかなか除去できないものがあり、そのノロ除去用及び取り外しなどの工具がそれぞれの状況に従来では対応してなく、効率の悪い作業を行っていたので、作業性がよく疲労の少ないコンクリートノロ除去用切削工具が広く求められていた。
【課題を解決するための手段】
【００１０】  本発明は、上記課題を有効に達成するための解決手段として、筒状ドリル本体の基端側に連結部を設け、該筒状ドリル本体の先端に歯部を形成した筒状ドリルに於いて、該筒状ドリル本体内の所定奥端にピーコン支持ボルト先端の支持ネジ部に対応して螺合するネジ部を設けることで、押し込む力を加えることなく除去でき、よって腕に掛かる負担及び疲労も少なく容易にピーコン内部のコンクリートノロが除去できる事としている。
【発明の効果】
【００１１】  本発明は、上述したそれぞれの手段によって有効な効果が得られるもので、特に、筒状ドリル本体の基端側に連結部を設け、該筒状ドリル本体の先端に歯部を形成した筒状ドリルに、該筒状ドリル本体内の所定奥端にピーコン支持ボルト先端の支持ネジ部に対応して螺合するネジ部を設けているので、
ねじ部の回転により、筒状ドリル本体自ら前進することで、その回転と前進力でピーコン内部のコンクリートノロを切削除去しながら自ら進み、それは押し込む力を加えることなく容易に行え、腕に掛かる負担も少なく、また従来のような疲労感も無く、よって作業効率も上がることで、コストダウンが図れる。【００１２】  また、ピーコンの取り外し時の不良率も下がり再使用率が上がると共に切削歯が滑ることでの摩耗が少なく、そしてそれによる電動のインパクトドライバのバッテリーの消耗も少ないことからコストダウンが図れる。
これらのことから本発明は、実用上著大な効果を奏する。
【発明を実施するための最良の形態】
【実施例】
【００１３】  本発明の実施例を図面に基づいて説明すると、図１及び図２において、１は筒状ドリル本体で、該筒状ドリル本体１は、有底の筒状ドリル部２と基端側端面中央に棒状の嵌合連結部３を設け、該嵌合連結部３は、後述する電動のインパクトドライバ４に連結している歯付筒状レンチ本体９（図５）の内角に対応した六角棒状で、そこに直接嵌合保持される。【００１４】  また、該筒状ドリル部２は、図１及び図２に示すように、該内側奥端面中央にネジ部５を形成すると共に該筒状ドリル部２の先端端面に突出形成した鋸歯状刃部６を設けている。【００１５】  該鋸歯状刃部６は、削り取る前側を略直角にした切削歯７、７、…とそれぞれの反対側を傾斜させた形状の逃げ角８、８、…の鋸歯状に形成し、図示では各四カ所形成している。【００１６】  しかして、まず図３のコンクリートの打設時の施工状態から示すと、コンクリート壁１０に型枠１１及びそれを保持するフォームタイ１２及び型枠１１の内側から支持するセパレータボルト１４及びピーコン１３と該ピーコン１３の内部にコンクリート打設時に浸入して固化したコンクリートノロ１５が詰まっている状態を示し、まずフォームタイ１２及び型枠１１を取り外して図５に示す、型枠が取り外された状態からコンクリート壁１０表面のピーコン１３を取り外す作業を行う。【００１７】  またそのピーコン１３は、図４に示すようにセパレータボルト１４の先端のネジ部にピーコン１３が連結されると共に該ピーコン１３の内部から突出するように支持ボルト１６と該支持ボルト１６の先端側に支持ネジ部１７を有し、基端側の内部に取外し用六角頭部１８が形成されている。【００１８】  そこで先ず、図４に示すように、電動のインパクトドライバ４に連結固定されている従来のコンクリートノロ除去兼ピーコン外しの歯付筒状レンチ本体９の内側に、筒状ドリル本体１の嵌合連結部３を直接嵌合保持させる。【００１９】  その状態で、図５に示すように、ピーコン１３の内部より突出している支持ボルト１６の支持ネジ部１７の先端に、筒状ドリル部２を被嵌状に挿入すると共に支持ネジ部１７とネジ部５が螺合するように、電動のインパクトドライバ４で筒状ドリル本体１を回転させる。【００２０】  その回転により、被嵌状に挿入された筒状ドリル本体１の奥端面のネジ部５に支持ボルト１６の支持ネジ部１７が螺合されながらねじ込まれ、それにより筒状ドリル本体１が回転しながら自ら前進し、その前進によってピーコン１３の内部の固化したコンクリートノロ１５が、鋸歯状刃部６で回転切削除去される。【００２１】  そして、支持ボルト１６の支持ネジ部１７の先端が筒状ドリル部２の奥端面のネジ部５の奥に当接した段階で電動のインパクトドライバ４を逆回転させて、支持ボルト１６の支持ネジ部１７から筒状ドリル本体２を解放する。【００２２】  その後、従来の電動のインパクトドライバ４に連結している歯付筒状レンチ本体９に直接嵌合保持されている筒状ドリル本体１を取り外し、該歯付筒状レンチ本体９によりピーコン１３の内の取外し用六角頭部１８を回転させて緩め、該ピーコン１３をコンクリート壁１０より抜き取り、ピーコン１３を再使用する事に供する。【００２３】  またさらに、コンクリート壁��０表面に有るピーコン１３の状況に於いて、該ピーコン１３内部にコンクリートノロ１５が浸入し完全に詰まったものと、そうでないもの、及び比較的簡単に除去できるものと、非常に硬くなかなか除去できないものとの状況に対応して、適宜ノロ除去用または取り外し用などの工具が、容易に取り替え変更でき、簡易で作業効率が非常に良い切削工具として使用する。【００２４】  なお、筒状ドリル本体２の鋸歯状刃部６の形状には、特に拘らず適宜変更して使用しても良いが図示は省略した。【００２５】  また、嵌合連結部３の端面側中心にそれより細い六角棒状の連結部を設けて、電動のインパクトドライバ４に直接把持させて、上述と略同様にピーコン１３のコンクリートノロ１５切削除去用として使用しても好ましいが、図示は省略した。
【図面の簡単な説明】
【００２６】
【図１】  本発明の実施例の正面透視図である。
【図２】  本発明の実施例の側面図である。
【図３】  コンクリート壁１０の施工状態を示す側面断面図である。
【図４】  本発明の使用状態を示す側面断面図である。
【図５】  本発明の使用状態を示す側面断面図である。
【符号の説明】
【００２７】  １  筒状ドリル本体
２  筒状ドリル部
３  嵌合連結部
５  ネジ部
６  鋸歯状刃部
１６  支持ボルト
１７  支持ネジ部
【図１】
2005280326.tif 000003
【図２】
2005280326.tif 000004
【図３】
2005280326.tif 000005
【図４】
2005280326.tif 000006
【図５】
2005280326.tif 000007